【手続補正書】
【提出日】平成20年5月26日(2008.5.26)
【手続補正１】
【補正対象書類名】明細書
【補正対象項目名】特許請求の範囲
【補正方法】変更
【補正の内容】
【特許請求の範囲】
【請求項１】  セキュリティトランザクションアカウントを使用している販売者サーバとセキュリティトランザクションを行う方法において、
（ａ）（ｉ）消費者装置と販売者サーバの少なくとも１つによりデジタル的にサインされたトランザクションリクエストをトランザクションサーバへ送信し、
（ii）セキュリティトランザクションアカウントが消費者装置と関係するか否かをトランザクションサーバにおいて決定し、
（iii）消費者装置がセキュリティトランザクションアカウントと関係しているとの決定に応答して、消費者装置と販売者サーバの少なくとも１つのデジタルサインを含んでいるトランザクションサーバによりデジタル的にサインされた応答を消費者装置と販売者サーバの少なくとも１つへ送信することによって、
セキュリティトランザクションアカウントを使用している販売者サーバとトランザクションを行うことを求めている消費者装置に応答して、消費者装置がセキュリティトランザクションアカウントと関係するか否かを決定し、
（ｂ）トランザクションサーバによりデジタル的にサインされた応答の受信に応答して消費者装置と販売者サーバとの間のセキュリティトランザクションを開始する方法。
【請求項２】  トランザクションサーバにおけるセキュリティトランザクションアカウントが消費者装置と関係するか否かの決定は、さらに、セキュリティトランザクションアカウントが有効であるか否かをトランザクションサーバにおいて決定するステップを含んでいる請求項１記載の方法。
【請求項３】  デジタル的にサインされたトランザクションリクエストは消費者装置と販売者サーバの両者によりデジタル的にサインされる請求項１記載の方法。
【請求項４】  トランザクションサーバによりデジタル的にサインされた応答は消費者装置と販売者サーバの両者のデジタルサインを含んでいる請求項３記載の方法。
【請求項５】  トランザクションサーバによりデジタル的にサインされた応答はデジタル証明を含んでいる請求項１乃至４のいずれか１項記載の方法。
【請求項６】  さらに、デジタル証明のセキュリティトークンからの検索を含んでいる請求項５記載の方法。
【請求項７】  セキュリティトランザクションアカウントは主アカウントおよび少なくとも１つのサブアカウントを含んでいる請求項１記載の方法。
【請求項８】  前記サブアカウントは販売者サーバの予め定められたリストから料金を受取るためにのみ動作する請求項７記載の方法。
【請求項９】  認可限界は前記サブアカウントに対して設定される請求項７記載の方法。
【請求項１０】  消費者装置と関係するセキュリティトランザクションアカウントを使用している販売者サーバとセキュリティトランザクションを消費者装置で行う方法において、
セキュリティトランザクションアカウントを使用している販売者サーバとトランザクションを行うための消費者装置のためのリクエストを消費者装置又は販売者サーバから受信するのに応答して、デジタル的にサインされた確認リクエストをトランザクションサーバに送信し、
デジタル的にサインされた確認リクエストのデジタルサインを含んでいるデジタル的にサインされたポジティブな確認をトランザクションサーバから受信するのに応答して、消費者装置と販売者サーバとの間のセキュリティトランザクションを開始する方法。
【請求項１１】  デジタル的にサインされた確認リクエストはデジタル証明である請求項１０記載の方法。
【請求項１２】  デジタル的にサインされた確認リクエストは消費者装置と販売者サーバの両者のデジタルサインを含んでいる請求項１０記載の方法。
【請求項１３】  デジタル的にサインされたポジティブな確認は消費者装置、販売者サーバ、トランザクションサーバのデジタルサインを含んでいる請求項１２記載の方法。
【請求項１４】  （ａ）（ｉ）販売者サーバからトランザクションサーバへデジタル的にサインされたセキュリティトランザクションアカウントレポートリクエストを送信し、
（ii）セキュリティトランザクションアカウントが有効であるか否かをトランザクションサーバにおいて決定し、
（iii）セキュリティトランザクションアカウントが販売者サーバに関連しているか否かをトランザクションサーバにおいて決定し、
（iv）セキュリティトランザクションアカウントが有効であり、販売者サーバが有効なセキュリティトランザクションアカウントに関係しているとの決定に応答して、デジタル的にサインされたセキュリティトランザクションアカウントレポート認証をトランザクションサーバから販売者サーバへ送信することにより、
セキュリティトランザクションアカウントレポートに対する販売者サーバからのリクエストに応答して、販売者サーバがセキュリティトランザクションアカウントに関連しているか否かを決定し、
（ｂ）セキュリティトランザクションアカウントが有効であり、販売者サーバがセキュリティトランザクションアカウントに関連しているとの決定に応答して、セキュリティトランザクションアカウントレポートを生成し、そのセキュリティアカウントレポートを販売者サーバに送信するステップを含んでいる販売者レポート生成方法。
【請求項１５】  セキュリティトランザクションを行うシステムにおいて、
（ａ）（ｉ）セキュリティトランザクションアカウントを使用してセキュリティトランザクションを行い、
（ii）デジタル的にサインされたトランザクションリクエストを販売者サーバへ送信するようにそれぞれ動作する
複数の消費者装置と、
（ｂ）（ｉ）消費者装置からデジタル的にサインされたトランザクションリクエストを受信してセキュリティトランザクションアカウントを使用している販売者サーバとトランザクションを行い、
（ii）販売者サーバとトランザクションを行うために消費者装置からのデジタル的にサインされたトランザクションリクエストの受信に応答して、消費者装置と販売者サーバの少なくとも１つのデジタルサインを含んでいるデジタル的にサインされた認証リクエストをトランザクションサーバへ送信して、リクエストしている消費者装置がセキュリティトランザクションアカウントと関係するか否かを決定し、
（iii）リクエストしている消費者装置が消費者装置と販売者サーバの少なくとも１つのデジタルサインを含んでいるセキュリティトランザクションアカウントと関係することを示すトランザクションサーバからのデジタル的にサインされた受信に応答して消費者装置と販売者サーバとの間のセキュリティトランザクションを開始するように動作する販売者サーバと、
（ｃ）（ｉ）消費者装置と販売者サーバの少なくとも１つのデジタルサインを含んでいる販売者サーバからのデジタル的にサインされた認証リクエストを受信し、
（ii）受信された認証リクエストで識別された消費者装置がセキュリティトランザクションアカウントと関係するか否かを決定し、
（iii）受信認証リクエストで識別された消費者装置がセキュリティトランザクションアカウントと関係するならば、消費者装置と販売者サーバの少なくとも１つのデジタルサインを含んでいるリクエストしている販売者サーバへデジタル的にサインされた応答を送信するように動作するトランザクションサーバとを具備しているシステム。
【請求項１６】  前記デジタル的にサインされた認証リクエストは、デジタル的にサインされたトランザクションリクエストからのデジタルサインを含んでいる請求項１５記載のシステム。
【請求項１７】  前記デジタル的にサインされた応答は、デジタル的にサインされたトランザクションリクエストおよびデジタル的にサインされた認証リクエストからのデジタルサインを含んでいる請求項１６記載のシステム。
【請求項１８】  さらに、前記各消費者装置と関連するセキュリティトークンを具備し、ここで、
（ａ）デジタル的にサインされたトランザクションリクエストはセキュリティトークンに含まれるデジタル証明であり、
（ｂ）販売者サーバはさらに、
（ｉ）消費者装置がセキュリティトークンからデジタル証明を検索することによりセキュリティトランザクションアカウントと関係しているか否かを決定し、
（ii）デジタル証明を含む認証リクエストをトランザクションサーバに送信するように動作する請求項１５記載のシステム。
【請求項１９】  トランザクションサーバはまたプロダクトのコストをセキュリティトランザクションアカウントに供給するように動作する請求項１５記載のシステム。
【請求項２０】  セキュリティトランザクションアカウントを使用している販売者サーバとセキュリティトランザクションを行うコンピュータが実行可能なコンポーネントを有するコンピュータが読取可能な媒体において、
（ａ）（ｉ）消費者装置と販売者サーバの少なくとも１つによりデジタル的にサインされたトランザクションリクエストをトランザクションサーバへ送信させ、
（ii）セキュリティトランザクションアカウントが消費者装置と関係するか否かをトランザクションサーバに決定させ、
（iii）消費者装置がセキュリティトランザクションアカウントと関係しているとのトランザクションサーバの決定に応答して、消費者装置と販売者サーバの少なくとも１つのデジタルサインを含んでいるトランザクションサーバによりデジタル的にサインされた応答をトランザクションサーバに消費者装置と販売者サーバの少なくとも１つへ送信させることにより、
セキュリティトランザクションアカウントを使用している販売者サーバとトランザクションを行うことを求めている消費者装置に応答して、消費者装置がセキュリティトランザクションアカウントと関係するか否かを決定し、
（ｂ）トランザクションサーバによりデジタル的にサインされた応答の受信に応答して消費者装置と販売者サーバとの間のセキュリティトランザクションを開始するコンピュータが読取可能な媒体。
【請求項２１】  セキュリティトランザクションアカウントが消費者装置と関係するか否かのトランザクションサーバの決定は、さらに、セキュリティトランザクションアカウントが有効であるか否かをトランザクションサーバが決定することを含んでいる請求項２０記載のコンピュータが読取可能な媒体。
【請求項２２】  デジタル的にサインされたトランザクションリクエストは消費者装置と販売者サーバの両者によりデジタル的にサインされる請求項２０記載のコンピュータが読取可能な媒体。
【請求項２３】  トランザクションサーバによりデジタル的にサインされた応答は消費者装置と販売者サーバの両者のデジタルサインを含んでいる請求項２２記載のコンピュータが読取可能な媒体。
【請求項２４】  トランザクションサーバによりデジタル的にサインされた応答はデジタル証明である請求項２０乃至２３のいずれか１項記載のコンピュータが読取可能な媒体。
【請求項２５】  実行可能な命令はまたデジタル証明をセキュリティトークンから検索する請求項２４記載のコンピュータが読取可能な媒体。
【請求項２６】  セキュリティトランザクションアカウントは主アカウントおよび少なくとも１つのサブアカウントを具備している請求項２０記載のコンピュータが読取可能な媒体。
【請求項２７】  前記サブアカウントは販売者サーバの予め定められたリストから料金を受取るためにのみ動作する請求項２６記載のコンピュータが読取可能な媒体。
【請求項２８】  認可限界は前記サブアカウントに対して設定される請求項２６記載のコンピュータが読取可能な媒体。
【請求項２９】  消費者装置と関係するセキュリティトランザクションアカウントを使用している販売者サーバとセキュリティトランザクションを消費者装置で行うコンピュータが実行可能なコンポーネントを有するコンピュータが読取可能な媒体において、
コンピュータが実行可能なコンポーネントはコンピュータが実行可能な命令を含み、その命令が実行されるとき、
セキュリティトランザクションアカウントを使用している販売者サーバとトランザクションを行うための消費者装置に対するリクエストを消費者装置又は販売者サーバから受信したのに応答して、デジタル的にサインされた確認リクエストをトランザクションサーバへ送信させ、
トランザクションサーバからのデジタル的にサインされた確認リクエストのデジタルサインを含んでいるデジタル的にサインされたポジティブな確認を受信したのに応答して、消費者装置と販売者サーバとの間のセキュリティトランザクションを開始させるコンピュータが読取可能な媒体。
【請求項３０】  デジタル的にサインされた確認リクエストは、デジタル証明である請求項２９記載のコンピュータが読取可能な媒体。
【請求項３１】  デジタル的にサインされた確認リクエストは、消費者装置と販売者装置の両者のデジタルサインを含んでいる請求項２９記載のコンピュータが読取可能な媒体。
【請求項３２】  デジタル的にサインされたポジティブな確認は消費者装置、販売者サーバ、およびトランザクションサーバのデジタルサインを含んでいる請求項３２記載のコンピュータが読取可能な媒体。
【請求項３３】  販売者レポートを生成するためのコンピュータが実行可能なコンポーネントを有し、前記コンピュータが実行可能なコンポーネントはコンピュータが実行可能な命令を有し、これは実行されるとき、
（ａ）（ｉ）販売者サーバからトランザクションサーバへデジタル的にサインされたセキュリティトランザクションアカウントレポートを送信し、
（ii）セキュリティトランザクションアカウントが有効であるか否かをトランザクションサーバにおいて決定し、
（iii）セキュリティトランザクションアカウントが販売者サーバに関連しているか否かをトランザクションサーバにおいて決定し、
（iv）セキュリティトランザクションアカウントが有効であり、販売者サーバが有効なセキュリティトランザクションアカウントに関係しているとの決定に応答して、デジタル的にサインされたセキュリティトランザクションアカウントレポート認証をトランザクションサーバから販売者サーバへ送信することにより、
セキュリティトランザクションアカウントレポートの販売者サーバからのリクエストに応答して、販売者サーバがセキュリティトランザクションアカウントに関連しているか否かを決定し、
（ｂ）セキュリティトランザクションアカウントが有効であり、販売者サーバがセキュリティトランザクションアカウントに関連しているとの決定に応答して、セキュリティトランザクションアカウントレポートを生成させて、販売者サーバに送信させるコンピュータが読取可能な媒体。